(57)【要約】【課題】医用画像に関する関連情報の不用意な更新を防ぎ、関連情報の適切な運用を行える仕組みを提供する。【解決手段】医用情報処理装置１０の撮影制御部１１２は、被検体Ｈを撮影して得られた医用画像と当該医用画像に関する関連情報とが対応付けられて記憶されているＰＡＣＳ６０等の記憶装置から、当該対応付けられている医用画像及び関連情報を取得し、当該取得した関連情報に設定された設定情報に応じて、編集された関連情報を記憶装置に出力することを制限する。【選択図】図１
2020087187.tif 000002
【特許請求の範囲】
【請求項１】
被検体を撮影して得られた医用画像と当該医用画像に関する関連情報とが対応付けられて記憶されている記憶手段と、
前記関連情報に設定された設定情報に応じて、前記記憶手段に記憶された前記関連情報の変更を伴う編集を制限する編集制御手段と、
を有することを特徴とする医用情報処理システム。
【請求項２】
前記対応付けられている前記医用画像および前記関連情報を取得する取得手段を更に有し、
前記編集制御手段は、前記取得手段で取得した前記関連情報の変更を伴う編集を制限することを特徴とする請求項１に記載の医用情報処理システム。
【請求項３】
前記編集制御手段は、前記関連情報に設定された設定情報として当該関連情報の編集不許可の設定がされている場合に、前記関連情報の前記編集を禁止することを特徴とする請求項１または２に記載の医用情報処理システム。
【請求項４】
前記編集制御手段は、前記関連情報に設定された設定情報として設定された当該関連情報の作成者と、前記関連情報の編集者とが異なる場合に、前記関連情報の前記編集を禁止することを特徴とする請求項１または２に記載の医用情報処理システム。
【請求項５】
前記編集制御手段は、前記関連情報に設定された設定情報として設定された当該関連情報の作成者と、操作部を介して前記対応付けられている前記医用画像および前記関連情報を前記記憶手段に出力する指示を行う操作者とが異なる場合に、前記関連情報の前記編集を禁止することを特徴とする請求項１または２に記載の医用情報処理システム。
【請求項６】
前記編集制御手段は、前記関連情報の前記編集を行う医用情報処理装置と、前記関連情報に設定された設定情報として設定された当該関連情報を作成した医用情報処理装置とが異なる場合に、前記関連情報の前記編集を禁止することを特徴とする請求項１または２に記載の医用情報処理システム。
【請求項７】
前記編集制御手段は、前記関連情報に設定された設定情報として設定された当該関連情報の用途を示す分類が、特定の分類でない場合に、前記関連情報の前記編集を禁止することを特徴とする請求項１または２に記載の医用情報処理システム。
【請求項８】
被検体を撮影して得られた医用画像と当該医用画像に関する関連情報とが対応付けられて記憶されている記憶手段と、
前記対応付けられている前記医用画像および前記関連情報を取得する取得手段と、
前記取得手段で取得された前記関連情報を編集する編集手段と、
前記関連情報に設定された設定情報に応じて、前記編集された前記関連情報を前記記憶手段に出力することを制限する出力制御手段と、
を有することを特徴とする医用情報処理システム。
【請求項９】
前記出力制御手段は、前記関連情報に設定された設定情報として当該関連情報の編集不許可の設定がされている場合に、前記記憶手段に対する前記関連情報の出力を禁止することを特徴とする請求項８に記載の医用情報処理システム。
【請求項１０】
前記出力制御手段は、前記関連情報に設定された設定情報として設定された当該関連情報の作成者と、前記関連情報の編集者とが異なる場合に、前記記憶手段に対する前記関連情報の出力を禁止することを特徴とする請求項８に記載の医用情報処理システム。
【請求項１１】
前記出力制御手段は、前記関連情報に設定された設定情報として設定された当該関連情報の作成者と、操作部を介して前記出力を指示する操作者とが異なる場合に、前記記憶手段に対する前記関連情報の出力を禁止することを特徴とする請求項８に記載の医用情報処理システム。
【請求項１２】
前記出力制御手段は、前記関連情報に設定された設定情報として設定された当該関連情報を作成した医用情報処理装置と、前記関連情報を編集した医用情報処理装置とが異なる場合に、前記記憶手段に対する前記関連情報の出力を禁止することを特徴とする請求項８に記載の医用情報処理システム。
【請求項１３】
前記出力制御手段は、前記関連情報に設定された設定情報として設定された当該関連情報の用途を示す分類が、特定の分類でない場合に、前記記憶手段に対する前記関連情報の出力を禁止することを特徴とする請求項８に記載の医用情報処理システム。
【請求項１４】
前記出力制御手段は、前記関連情報の変更がなされた場合に、前記記憶手段に対する前記関連情報の出力を禁止することを特徴とする請求項８に記載の医用情報処理システム。
【請求項１５】
前記出力制御手段は、前記関連情報を前記編集した医用情報処理装置が前記記憶手段によって認証されていない場合に、前記記憶手段に対する前記関連情報の出力を禁止することを特徴とする請求項８に記載の医用情報処理システム。
【請求項１６】
被検体を撮影して得られた医用画像と当該医用画像に関する関連情報とを対応付けて記憶手段に記憶する記憶ステップと、
前記関連情報に設定された設定情報に応じて、前記記憶手段に記憶された前記関連情報の変更を伴う編集を制限する編集制御ステップと、
を有することを特徴とする医用情報処理方法。
【請求項１７】
被検体を撮影して得られた医用画像と当該医用画像に関する関連情報とを対応付けて記憶手段に記憶する記憶ステップと、
前記対応付けられている前記医用画像および前記関連情報を取得する取得ステップと、
前記取得ステップで取得された前記関連情報を編集する編集ステップと、
前記関連情報に設定された設定情報に応じて、前記編集された前記関連情報を前記記憶手段に出力することを制限する出力制御ステップと、
を有することを特徴とする医用情報処理方法。
【請求項１８】
コンピュータに、請求項１６または１７に記載の医用情報処理方法における各ステップを実行させるためのプログラム。
【発明の詳細な説明】
【技術分野】
【０００１】
本発明は、医用情報処理システム、医用情報処理方法及びプログラムに関するものである。
【背景技術】
【０００２】
近年、例えば放射線技師などの医療従事者の更なる役割として、医用画像における読影の補助が求められている。例えば、夜間や休診日などに放射線科医や専門医が不在の場合に、日頃から医用画像を観察している放射線技師が異常を指摘することが期待されている。
【０００３】
例えば放射線技師は、医師に対して撮影中に気づいた点や医用画像について気づいた点を伝える際に、例えばＤＩＣＯＭ規格で定められたキーオブジェクトと呼ばれるコメント情報を使用できる。このキーオブジェクトは、医用画像に関する関連情報であって、例えば医用画像に付与されて医用画像と共に記憶装置である画像サーバに出力される。そして、医師は、例えばキーオブジェクトが付与された医用画像を画像サーバから取得し、そのコメント情報を参考にしながら読影を行うことができる。
【０００４】
医用画像に付随させる関連情報である読影レポートについて、特許文献１には、レポートの作成または更新を管理するために、更新履歴を付帯させる技術が提案されている。
【先行技術文献】
【特許文献】
【０００５】
【特許文献１】特開２００４−３３４４６６号公報
【発明の概要】
【発明が解決しようとする課題】
【０００６】
しかしながら、特許文献１に記載の技術では、記憶装置に記憶されている関連情報が不用意に更新された場合、例えば、目的に沿わない用途として利用されたり、医用画像に対する注意喚起などの恒久的な情報が欠落したりする不具合が生じうる。即ち、従来の技術においては、医用画像に関する関連情報の不用意な更新を防いで当該関連情報の適切な運用を行うことが困難であるという問題があった。
【０００７】
本発明は、このような問題点に鑑みてなされたものであり、医用画像に関する関連情報の不用意な更新を防ぎ、関連情報の適切な運用を行える仕組みを提供することを目的とする。
【課題を解決するための手段】
【０００８】
本発明の医用情報処理システムは、被検体を撮影して得られた医用画像と当該医用画像に関する関連情報とが対応付けられて記憶されている記憶手段と、前記関連情報に設定された設定情報に応じて、前記記憶手段に記憶された前記関連情報の変更を伴う編集を制限する編集制御手段と、を有する。
本発明の医用情報処理システムにおける他の態様は、被検体を撮影して得られた医用画像と当該医用画像に関する関連情報とが対応付けられて記憶されている記憶手段と、前記対応付けられている前記医用画像および前記関連情報を取得する取得手段と、前記取得手段で取得された前記関連情報を編集する編集手段と、前記関連情報に設定された設定情報に応じて、前記編集された前記関連情報を前記記憶手段に出力することを制限する出力制御手段と、を有する。
また、本発明は、上述した医用情報処理システムによる医用情報処理方法、及び、当該医用情報処理方法をコンピュータに実行させるためのプログラムを含む。
【発明の効果】
【０００９】
本発明によれば、医用画像に関する関連情報の不用意な更新を防ぐことができ、その結果、当該関連情報の適切な運用を行うことが可能となる。
【図面の簡単な説明】
【００１０】
【図１】本発明の第１の実施形態に係る医用情報処理システムの概略構成の一例を示す図である。
【図２】本発明の第１の実施形態を示し、図１の表示部に表示される新規検査入力画面の一例を示す図である。
【図３】本発明の第１の実施形態を示し、図１の表示部に表示される撮影情報入力画面の一例を示す図である。
【図４】本発明の第１の実施形態を示し、図１の表示部に表示される撮影画面の一例を示す図である。
【図５】本発明の第１の実施形態を示し、図１の表示部に表示されるキーオブジェクト作成画面の一例を示す図である。
【図６】本発明の第１の実施形態を示し、図１の放射線撮影制御装置（例えば撮影制御部）で作成されたキーオブジェクトの一例を示す図である。
【図７】本発明の第１の実施形態を示し、図１の表示部に表示される過去検査選択画面の一例を示す図である。
【図８】本発明の第１の実施形態を示し、図１の表示部に表示される過去検査再生画面の一例を示す図である。
【図９】本発明の第１の実施形態に係る医用情報処理装置による医用情報処理方法の処理手順の一例を示すフローチャートである。
【図１０】本発明の第２の実施形態に係る医用情報処理装置による医用情報処理方法の処理手順の一例を示すフローチャートである。
【発明を実施するための形態】
【００１１】
以下に、図面を参照しながら、本発明を実施するための形態（実施形態）について説明する。
【００１２】
（第１の実施形態）
まず、本発明の第１の実施形態について説明する。
【００１３】
＜医用情報処理システムの構成＞
図１は、本発明の第１の実施形態に係る医用情報処理システム１の概略構成の一例を示す図である。医用情報処理システム１は、本実施形態に係る医用情報処理装置１０、他の医用情報処理装置２０、ネットワーク３０、ＨＩＳ（Ｈｏｓｐｉｔａｌ  Ｉｎｆｏｒｍａｔｉｏｎ  Ｓｙｓｔｅｍ）４０、ＲＩＳ（Ｒａｄｉｏｌｏｇｙ  Ｉｎｆｏｒｍａｔｉｏｎ  Ｓｙｓｔｅｍ）５０、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍｓ）６０、及び、プリンタ７０を有して構成されている。
【００１４】
医用情報処理装置１０は、被検体Ｈを撮影して得られた医用画像と、当該医用画像に関する関連情報とを対応付けて、これらを医用情報として処理する装置である。ここで、本実施形態では、「医用画像」として、例えばＸ線などの放射線を用いて被検体Ｈを撮影することにより得られる放射線画像を適用した例について説明を行うが、本発明においては、これに限定されるものではなく、他の医用画像を適用することも可能である。また、本実施形態では、「医用画像に関する関連情報」として、上述したキーオブジェクトを適用した例について説明を行うが、本発明においては、これに限定されるものではなく、他の関連情報を適用することも可能である。
【００１５】
医用情報処理装置１０は、ある撮影室に設けられた装置であり、図１に示すように、放射線撮影制御装置１１、ケーブル１２、放射線発生装置１３、ケーブル１４、放射線検出装置１５、及び、撮影台１６を有して構成されている。この医用情報処理装置１０の各構成（１１〜１６）については、後述する。
【００１６】
他の医用情報処理装置２０は、医用情報処理装置１０とは異なる撮影室に設けられた装置であり、医用情報処理装置１０の放射線撮影制御装置１１に相当する放射線撮影制御装置２１を含み構成されている。また、本実施形態においては、他の医用情報処理装置２０は、更に、医用情報処理装置１０のケーブル１２、放射線発生装置１３、ケーブル１４、放射線検出装置１５及び撮影台１６のそれぞれに相当する構成も、含みうる。
【００１７】
ＨＩＳ４０は、放射線撮影の進捗を管理する、いわゆる院内情報システムである。ＲＩＳ５０は、いわゆる放射線部門内情報システムである。ＰＡＣＳ６０は、医用情報を記憶する記憶装置である画像サーバである。プリンタ７０は、印刷出力を行う装置である。
【００１８】
ここで、ＨＩＳ４０は、会計情報を管理するサーバを含んでいてもよい。医用情報処理システム１では、放射線撮影が必要と判断されると、ＨＩＳ４０から検査指示を入力し、依頼先である放射線部門に伝達する。この依頼情報を検査オーダといい、この検査オーダには、依頼元の部門名や、検査項目、患者の個人データなどが含まれる。放射線部門は、ＲＩＳ５０において検査オーダを受信すると、撮影条件などを付加し、これを例えば医用情報処理装置１０へ転送する。そして、医用情報処理装置１０では、受信した検査オーダに従って放射線撮影を実施する。そして、医用情報処理装置１０では、撮影により得られた放射線画像に、当該放射線画像に関する関連情報であるキーオブジェクトなどを付与し、これをＰＡＣＳ６０やプリンタ７０に出力する。また、医用情報処理装置１０での検査の実施情報は、ＨＩＳ４０へ転送される。ＨＩＳ４０へ転送された実施情報は、検査の進捗管理以外に、検査後の会計処理にも用いられる。
【００１９】
ネットワーク３０は、医用情報処理装置１０、他の医用情報処理装置２０、ＨＩＳ４０、ＲＩＳ５０、ＰＡＣＳ６０、及び、プリンタ７０を、相互に、通信可能に接続するものである。ネットワーク３０は、例えば、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）などで構成されている。なお、ネットワーク３０で接続される、医用情報処理装置１０、他の医用情報処理装置２０、ＨＩＳ４０、ＲＩＳ５０、ＰＡＣＳ６０及びプリンタ７０の各装置は、例えば１または複数のコンピュータを含み構成されている。この際、それぞれのコンピュータには、例えば、ＣＰＵなどの主制御部、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などの記憶部が具備される。また、それぞれのコンピュータには、ネットワークカードなどの通信部、キーボード、ディスプレイまたはタッチパネルなどの入出力部などが具備されていてもよい。そして、それぞれのコンピュータのこれらの各構成要素は、バスなどにより接続され、主制御部が記憶部に記憶されたプログラムを読み出して実行することで制御される。
【００２０】
＜医用情報処理装置の構成＞
次に、図１に示す医用情報処理装置１０の概略構成について説明する。
上述したように、医用情報処理装置１０は、放射線撮影制御装置１１、ケーブル１２、放射線発生装置１３、ケーブル１４、放射線検出装置１５、及び、撮影台１６を有して構成されている。
【００２１】
放射線撮影制御装置１１は、医用情報処理装置１０の動作を統括的に制御すると共に、各種の処理を行う。この放射線撮影制御装置１１は、図１に示すように、操作部１１１、撮影制御部１１２、放射線発生制御部１１３、表示制御部１１４、及び、表示部１１５を有して構成されている。
【００２２】
操作部１１１は、操作者が操作入力した情報を撮影制御部１１２に入力する。操作部１１１は、例えば、マウスや操作ボタンなどで構成されている。
【００２３】
撮影制御部１１２は、例えば操作部１１１から入力された情報に基づいて、被検体Ｈの放射線撮影に係る制御を統括的に行うと共に、各種の処理を行う。
【００２４】
放射線発生制御部１１３は、ケーブル１２を介して放射線発生装置１３と接続されており、撮影制御部１１２の制御に基づいて放射線発生装置１３から発生させる放射線の照射を制御する。放射線発生装置１３は、例えば、放射線管球を含み構成されており、放射線発生制御部１１３の制御に基づいて、被検体Ｈ（例えば、患者の特定部位）に向けて放射線を照射する。ここで、図１に示す例では、被検体Ｈを支持する撮影台１６が設置されている。この撮影台１６は、被検体Ｈを立位の状態または臥位の状態で支持可能に構成されている。
【００２５】
また、撮影制御部１１２は、ケーブル１４を介して放射線検出装置１５と接続されており、当該ケーブル１４によって両者の間では、電源や、放射線画像信号、制御信号などが授受される。放射線検出装置１５は、撮影制御部１１２の制御に基づいて、被検体Ｈ（更には撮影台１６）を透過した放射線を電気信号として検出し、放射線画像（放射線画像信号）を取得する検出装置である。即ち、放射線発生装置１３及び放射線検出装置１５が連携して動作することにより放射線撮影装置が実現される。なお、放射線検出装置１５は、撮影台１６の所定位置に設置されている。
【００２６】
また、撮影制御部１１２は、ＲＩＳ５０から受信した検査オーダのうち少なくとも１つに対応する放射線撮影の開始の実行を指示する指示部としても機能する。検査オーダには、例えば、患者である被検者の情報と当該被検者についての１または複数の撮影部位を含む撮影条件情報が含まれている。ここで、放射線撮影の開始の実行は、例えば操作部１１１を介した操作者からの入力を受けて行う形態のみならず、撮影制御部１１２が撮影すべき検査オーダを選択して行う形態であってもよい。
【００２７】
表示制御部１１４は、撮影制御部１１２の制御に基づいて、表示部１１５に各種の画像（放射線画像を含む）や各種の情報を表示する制御を行う。
【００２８】
表示部１１５は、例えば、液晶ディスプレイなどで構成されており、表示制御部１１４の制御に基づいて各種の画像や各種の情報を操作者（例えば、撮影技師や医師など）に向けて表示する。なお、表示部１１５及び操作部１１１は、これらが一体となったタッチパネルで実現されてもよい。医用情報処理装置１０において、放射線撮影が実施されると、例えば放射線撮影により得られた放射線画像が表示部１１５に表示される。そして、操作者は、表示部１１５に表示された放射線画像に対して、操作部１１１を介して画像処理や、切り出し、アノテーションの付与、幾何変換などの画像編集を実施しうる。
【００２９】
なお、図１に示す構成は、飽くまで一例であり、適宜変更できる。例えば、図１では、放射線撮影制御装置１１に対してネットワーク３０を介して各種の装置やシステムが接続されているが、放射線撮影制御装置１１は、必ずしもこのような装置やシステムと接続されている必要はない。例えば診断用の放射線画像を含む医用情報がＤＶＤのような可搬型記憶媒体に出力されて記憶され、当該可搬型記憶媒体を介して各種の装置やシステムへ医用情報が入力されてもよい。また、ネットワーク３０は、有線で構成されていても、一部が無線信号伝送路で構成されていてもよい。また、各種の装置やシステムは、ネットワーク３０上に複数存在してもよい。例えば、病院内に複数の撮影室が存在する場合など、複数の医用情報処理装置１０及び２０が存在してもよい。
【００３０】
＜撮影処理＞
次に、図１に示す医用情報処理システム１による検査の流れに沿って、放射線画像を撮影する際の処理手順について説明する。
【００３１】
まず、検査依頼書またはＲＩＳ５０からの検査オーダにより、医用情報処理装置１０に対して、患者情報及び検査情報が入力される。ここで、患者情報は、患者名、患者ＩＤなどの情報を含み、検査情報は、患者に対して実施する撮影の内容を規定した撮影情報を含む。
【００３２】
続いて、医用情報処理装置１０は、表示制御部１１４の制御によって、新規検査入力画面を表示部１１５に表示する。図２は、本発明の第１の実施形態を示し、図１の表示部１１５に表示される新規検査入力画面２００の一例を示す図である。
【００３３】
図２（ａ）に示す新規検査入力画面２００には、患者情報入力領域２１０、患者情報確定ボタン２２０、依頼検査リスト（検査オーダリスト）表示領域２３０、患者情報表示領域２４０、撮影情報表示領域２５０、撮影情報入力ボタン２６０、及び、検査開始ボタン２７０が設けられている。
【００３４】
依頼検査リスト表示領域２３０には、ＲＩＳ５０から受信した検査オーダが並べられて一覧表示される。続いて、図２（ｂ）に示すように、例えば操作者が操作部１１１を介して依頼検査リスト表示領域２３０に表示された依頼検査リストの中からいずれか１つの検査２３１を選択すると、患者情報表示領域２４０には、当該選択された検査２３１の患者に対応する患者情報（患者ＩＤ、患者名、生年月日など）が表示される。また、図２（ｂ）に示す撮影情報表示領域２５０には、当該選択された検査２３１の検査ＩＤが表示され、その検査ＩＤが表示された領域の直下の領域に、当該検査ＩＤに対応する撮影情報が表示される。この撮影情報は、上述したように、ＲＩＳ５０から受信する。図２（ｂ）に示す例の場合、撮影情報に対応した撮影方法ボタンである胸部正面ボタン２５１及び胸部側面ボタン２５２が配置されている。
【００３５】
また、例えば操作者が操作部１１１を介して図２に示す撮影情報入力ボタン２６０を押下すると、医用情報処理装置１０は、表示制御部１１４の制御によって、撮影情報入力画面を表示部１１５に表示する。図３は、本発明の第１の実施形態を示し、図１の表示部１１５に表示される撮影情報入力画面３００の一例を示す図である。この図３において、図２に示す構成と同様の構成については同じ符号を付しており、その詳細な説明は省略する。
【００３６】
図３に示す撮影情報入力画面３００は、図２に示す新規検査入力画面２００の患者情報入力領域２１０、患者情報確定ボタン２２０及び依頼検査リスト表示領域２３０の部分に、撮影情報入力領域３１０が配置された構成となっている。図３に示す撮影情報入力画面３００の例では、撮影情報入力領域３１０に複数の撮影方法選択ボタン３１１が表示されており、これを選択することで撮影方法を追加できるようになっている。そして、追加された撮影方法は、撮影情報表示領域２５０に、胸部正面ボタン２５１及び胸部側面ボタン２５２と並べて表示される。また、各撮影方法は、撮影方法ＩＤと対応付けられている。
【００３７】
そして、操作者が表示部１１５に表示された患者情報及び撮影情報を確認した後、例えば操作部１１１を介して検査開始ボタン２７０を押下すると、医用情報処理装置１０は、実施する検査を確定する。そして、医用情報処理装置１０は、検査開始ボタン２７０の押下に従って、表示制御部１１４の制御によって、撮影画面を表示部１１５に表示する。図４は、本発明の第１の実施形態を示し、図１の表示部１１５に表示される撮影画面４００の一例を示す図である。この図４に示す撮影画面４００は、撮影時に用いられる画面であり、図２に示す構成と同様の構成については同じ符号を付している。
【００３８】
図４（ａ）に示す撮影画面４００は、画像表示領域４１０、画像操作ボタン表示領域４２０、メッセージ表示領域４３０、患者情報表示領域２４０、撮影情報表示領域２５０、画像処理設定領域４４０、撮影情報入力ボタン２６０、及び、検査終了ボタン４５０が設けられている。また、画像操作ボタン表示領域４２０には、回転ボタン４２１、反転ボタン４２２、切り出しボタン４２３、アノテーションボタン４２４、キーオブジェクトボタン４２５、及び、写損ボタン４２６が設けられている。
【００３９】
図４（ａ）に示す撮影画面４００が表示部１１５に表示されると、撮影情報表示領域２５０内で最も上部に配置された撮影方法ボタンである胸部正面ボタン２５１がデフォルトで選択状態になっている。これに伴って、医用情報処理装置１０の撮影制御部１１２は、当該撮影方法ボタン（撮影方法）に対応して設定された撮影条件（放射線発生装置１３の管電圧や管電流、放射線の照射時間など）を放射線発生制御部１１３に送信する。また、これと共に、撮影制御部１１２は、当該撮影条件に従って放射線検出装置１５を制御して放射線撮影の準備を整える。そして、準備が整うと、医用情報処理装置１０は、撮影可能状態へ遷移する。このとき、メッセージ表示領域４３０には、撮影可能状態であることを示す「Ｒｅａｄｙ」のメッセージが表示される。
【００４０】
続いて、操作者が、表示部１１５に表示された撮影方法を確認した後に、撮影のセッティング及び患者のポジショニングを行って一連の撮影準備を完了させる。次いで、操作者が、メッセージ表示領域４３０を参照して撮影可能状態であることを確認した後、操作部１１１の一構成である放射線照射スイッチを押下すると、撮影制御部１１２はこれを検知する。そして、撮影制御部１１２は、放射線照射スイッチの押下を検知すると、放射線発生制御部１１３を介して放射線発生装置１３から被検体Ｈ（例えば、患者の特定部位）に向けて放射線を照射させ、また、放射線検出装置１５に被検体Ｈ（更には撮影台１６）を透過した放射線を検出させる。これにより、被検体Ｈの放射線画像の撮影が行われる。
【００４１】
そして、撮影が完了すると、撮影制御部１１２は、放射線検出装置１５から放射線画像（放射線画像信号）を取得するとともに、当該取得した放射線画像に対して所定の画像処理条件に基づいて画像処理を実施する。所定の画像処理条件は、例えば撮影方法に対応して予め規定されている。そして、画像処理が終了すると、撮影制御部１１２は、表示制御部１１４を介して当該画像処理された放射線画像を画像表示領域４１０に表示させる。
【００４２】
そして、操作者は、画像表示領域４１０に表示された放射線画像のコントラストなどを変更したい場合、画像処理設定領域４４０に設けられたコントラストや輝度などのボタンを操作する。また、操作者は、例えば出力画像の切り出し領域を変更したい場合などには、画像操作ボタン表示領域４２０に設けられた各種の調整ボタンを操作する。例えば、操作者は、画像の一部を切り出す場合には、切り出しボタン４２３及び切り出し枠４１１などを操作して所望の切り出し領域を指定する。また、例えば、操作者は、診断情報となる文字列を付与する場合には、アノテーションボタン４２４などを操作してアノテーション４１２に示すような文字列を放射線画像上に重ねる。また、例えば、操作者は、放射線画像の向きが診断に適さない場合には、回転ボタン４２１や反転ボタン４２２などを使って幾何変換を行う。このように、操作者は、画像表示領域４１０に表示された放射線画像に対して追加の画像編集を実施できる。また、例えば、操作者は、医用画像（放射線画像）に関する関連情報であるキーオブジェクトを作成する場合には、図４（ｂ）に示すキーオブジェクト枠４１３の指定及びキーオブジェクトボタン４２５などを操作する。
【００４３】
操作者は、上述した手順を繰り返して撮影情報表示領域２５０内の全撮影方法の撮影を実施する。そして、全ての撮影が終了すると、操作者は、検査終了ボタン４５０を押下する。これにより、一連の検査が終了し、放射線撮影制御装置１１は、再度、図２に示す新規検査入力画面２００を表示部１１５に表示する。このとき、放射線撮影制御装置１１は、撮影制御部１１２において、写損として扱われなかった放射線画像を、その検査情報、撮影条件などを付帯情報として付与した上で、例えば、ＰＡＣＳ６０、プリンタ７０、自装置におけるＲＯＭなどの記憶部に出力する。なお、ＲＩＳ５０やＲＯＭなどの記憶部においては、放射線画像と患者情報とを関連付けて格納する。
【００４４】
＜キーオブジェクト作成処理＞
次に、図１に示す医用情報処理システム１による検査の流れに沿って、医用画像（放射線画像）に関する関連情報であるキーオブジェクトを作成する際の処理手順について説明する。
【００４５】
操作者は、図４に示す撮影画面４００で撮影した放射線画像を確認した後、必要に応じて、操作部１１１を介してキーオブジェクトの作成指示を行う。具体的に、例えば、図４（ｂ）に示すように、キーオブジェクトボタン４２５を押下し、キーオブジェクト枠４１３を操作して所望の対象領域を指定する。キーオブジェクトボタン４２５の押下及び対象領域の指定が行われると、医用情報処理装置１０は、表示制御部１１４の制御によって、キーオブジェクト作成画面を表示部１１５に表示する。図５は、本発明の第１の実施形態を示し、図１の表示部１１５に表示されるキーオブジェクト作成画面５００の一例を示す図である。
【００４６】
図５に示すキーオブジェクト作成画面５００は、分類設定部５１０、注釈指定部５２０、編集可否設定部５３０、ＯＫボタン５４０、及び、キャンセルボタン５５０が設けられている。
【００４７】
操作者は、分類設定部５１０を操作して、キーオブジェクトの用途を設定する。分類設定部５１０には、キーオブジェクトの用途を示す分類ごとに、各種のボタンが配置されている。具体的に、図５に示す例では、分類設定部５１０には、教育用ボタン５１１、手術用ボタン５１２、患者説明用ボタン５１３、及び、経過観察用ボタン５１４が設けられている。操作者は、例えば、作成するキーオブジェクトが患者説明と経過観察に用いるものであれば、図５に示すように、患者説明用ボタン５１３と経過観察用ボタン５１４を押下し、選択状態に変更する。
【００４８】
また、操作者は、注釈指定部５２０に、キーオブジェクトについての説明等のメモを記載入力する。この際、操作者は、キーオブジェクトに説明等が不要であり、上述した分類のみで十分である場合には、入力しなくてもよい。
【００４９】
また、操作者は、編集可否設定部５３０に、作成中のキーオブジェクトを後から編集しても良いか否かを設定する。作成中のキーオブジェクトが医用画像（放射線画像）に対する恒久的な情報である場合には、編集可否設定部５３０をオフにし、作成後の編集を禁止（編集不許可）する。また、例えば、操作者は、作成中のキーオブジェクトが確認後に不要になる情報である場合や一定期間しか効力のない情報である場合には、編集可否設定部５３０をオンにし、作成後の編集を許可（編集許可）する。
【００５０】
そして、操作者が、キーオブジェクトに必要な情報を設定した後、ＯＫボタン５４０を押下すると、例えば撮影制御部１１２は、キーオブジェクト作成画面５００で設定された情報に基づきキーオブジェクトを作成して、キーオブジェクトを取得する。そして、例えば撮影制御部１１２は、図４に示す撮影画面４００の画像表示領域４１０に表示されている放射線画像に対して取得したキーオブジェクトを付帯させて、放射線画像とキーオブジェクトとを対応付ける。
【００５１】
図６は、本発明の第１の実施形態を示し、図１の放射線撮影制御装置１１（例えば撮影制御部１１２）で作成されたキーオブジェクト６００の一例を示す図である。具体的に、図５に示すキーオブジェクト作成画面５００に基づき作成されたキーオブジェクトの一例を、図６（ａ）のキーオブジェクト６００−１として示す。この図６（ａ）に示すキーオブジェクト６００−１には、分類情報６１０として、図５の分類設定部５１０で設定された患者説明用分類情報６１０−１及び経過観察用分類情報６１０−２が含まれている。また、図６（ａ）に示すキーオブジェクト６００−１には、図５の注釈指定部５２０で設定されたメモ情報６２０、図５の編集可否設定部５３０で設定された編集可否情報６３０が含まれている。ここで、図６（ａ）に示す例では、編集可否設定部５３０がオンにされて、編集を許可する編集可否情報６３０が示されている。さらに、図６（ａ）に示すキーオブジェクト６００−１には、当該キーオブジェクト６００−１と医用画像（放射線画像）とを対応付けるための識別ＩＤ情報６４０が含まれている。即ち、図６（ａ）のキーオブジェクト６００−１は、当該キーオブジェクト６００−１に設定された設定情報として、分類情報６１０、メモ情報６２０、編集可否情報６３０及び識別ＩＤ情報６４０が示されている。
【００５２】
なお、操作者が図５のキャンセルボタン５５０を押下した場合、例えば撮影制御部１１２は、作成中のキーオブジェクトを破棄する。そして、医用情報処理装置１０は、図５のＯＫボタン５４０及びキャンセルボタン５５０が押下されると、表示制御部１１４の制御によって、図５に示すキーオブジェクト作成画面５００を閉じて、図４に示す撮影画面４００を表示部１１５に表示する。
【００５３】
そして、例えば撮影制御部１１２は、キーオブジェクトの作成後に、図４に示す撮影画面４００の検査終了ボタン４５０が操作者によって押下されると、作成したキーオブジェクトを医用画像（放射線画像）に関する関連情報として付与し対応付けた上で、例えば、ＰＡＣＳ６０、プリンタ７０、自装置におけるＲＯＭなどの記憶部に出力する。
【００５４】
このようにして、ＰＡＣＳ６０等には、医用情報処理装置１０から、医用画像（放射線画像）と当該医用画像に関する関連情報（キーオブジェクト）が出力され、ＰＡＣＳ６０等には、当該出力された医用画像と関連情報とが対応付けられて記憶される。なお、上述した例では、ＰＡＣＳ６０等には、医用情報処理装置１０で生成された医用画像及び関連情報を記憶する場合を説明したが、本発明においてはこの形態に限定されるものではない。例えば、医用情報処理装置１０と同様の機能構成を有する他の医用情報処理装置２０から、医用画像（放射線画像）及び関連情報（キーオブジェクト）が出力され、ＰＡＣＳ６０等に、当該出力された医用画像と関連情報とが対応付けられて記憶される形態でもよい。
【００５５】
＜記憶装置に対するキーオブジェクトの再出力処理＞
次に、図１に示す医用情報処理システム１による検査の流れに沿って、記憶装置であるＰＡＣＳ６０等に対してキーオブジェクトを再出力する際の処理手順について説明する。本実施形態では、このキーオブジェクトを再出力する際の処理として、医用情報処理装置１０または他の医用情報処理装置２０から出力されてＰＡＣＳ６０等に記憶されている医用画像（放射線画像）及び関連情報（キーオブジェクト）を、医用情報処理装置１０が取得し、当該取得したキーオブジェクトとして設定された設定情報に応じて、ＰＡＣＳ６０等の記憶装置に対するキーオブジェクトの再出力を制限する例について説明する。
【００５６】
ＰＡＣＳ６０等に対してキーオブジェクトの再出力処理を行う場合、まず、医用情報処理装置１０は、表示制御部１１４の制御によって、過去検査選択画面を表示部１１５に表示する。図７は、本発明の第１の実施形態を示し、図１の表示部１１５に表示される過去検査選択画面７００の一例を示す図である。
【００５７】
図７に示す過去検査選択画面７００には、検索条件入力領域７１０、検索開始ボタン７２０、過去検査リスト表示領域７３０、患者情報表示領域７４０、撮影情報表示領域７５０、検査再開ボタン７６０、検査再出力ボタン７７０、及び、検査再生ボタン７８０が設けられている。
【００５８】
過去検査リスト表示領域７３０には、放射線撮影制御装置１１で実施された検査（医用画像（放射線画像）及び関連情報（キーオブジェクト）の医用情報を含む検査）が並べられ一覧表示される。また、ネットワーク３０上の他の放射線撮影制御装置２１で実施された検査や、ＰＡＣＳ６０に保存されている医用情報を含む検査なども表示してもよい。
【００５９】
例えば操作者が操作部１１１を介して過去検査リスト表示領域７３０に表示された過去検査リストの中からいずれか１つの検査７３１を選択すると、患者情報表示領域７４０には、当該選択された検査７３１の患者に対応する患者情報（患者ＩＤ、患者名、生年月日など）が表示される。また、撮影情報表示領域７５０には、当該選択された検査７３１の検査ＩＤが表示され、その検査ＩＤが表示された領域の直下の領域に、当該選択された検査７３１で実施された撮影情報が表示される。図７に示す例の場合、実施された撮影により得られた放射線画像を含む撮影方法ボタンである胸部正面ボタン７５１及び胸部側面ボタン７５２が配置されている。
【００６０】
図７に示す過去検査選択画面７００では、例えば操作者が操作部１１１を介して検査再開ボタン７６０を押下することによって、実施済の検査を保留状態に変更し、さらに撮影方法を追加することもできる。
【００６１】
また、図７に示す過去検査選択画面７００において、例えば操作者が操作部１１１を介して検査再生ボタン７８０を押下すると、医用情報処理装置１０は、表示制御部１１４の制御によって、選択された検査７３１の過去検査再生画面を表示部１１５に表示する。図８は、本発明の第１の実施形態を示し、図１の表示部１１５に表示される過去検査再生画面８００の一例を示す図である。この図８において、図４及び図７に示す構成と同様の構成については同じ符号を付しており、その詳細な説明は省略する。
【００６２】
図８に示す過去検査再生画面８００には、画像表示領域４１０、画像操作ボタン表示領域４２０、メッセージ表示領域４３０、患者情報表示領域２４０、撮影情報表示領域２５０、画像処理設定領域４４０、検査再開ボタン７６０、検査再出力ボタン７７０、及び、再生終了ボタン８１０が設けられている。この過去検査再生画面８００は、基本的には、図４に示す撮影画面４００及び図７に示す過去検査選択画面７００の表示領域を有して構成されている。図４に示す撮影画面４００から変更される表示領域としては、図８に示すように、図４の撮影情報入力ボタン２６０及び検査終了ボタン４５０が非表示となり、図７の検査再開ボタン７６０、検査再出力ボタン７７０及び再生終了ボタン８１０が新たに表示される。
【００６３】
図８に示す過去検査再生画面８００において、例えば操作者が操作部１１１を介してキーオブジェクトボタン４２５を押下すると、医用情報処理装置１０は、表示制御部１１４の制御によって、図５のキーオブジェクト作成画面５００を表示部１１５に表示する。表示されたキーオブジェクト作成画面５００は、検査時に作成された時点のキーオブジェクト（例えば、図６（ａ）に示す作成時のキーオブジェクト６００−１）を保持しており、操作することで設定済みのキーオブジェクトを編集できてもよい。例えば操作者が操作部１１１を介して検査再出力ボタン７７０を押下すると、医用情報処理装置１０は、ＰＡＣＳ６０等の外部装置に出力済みの検査を再出力する。再出力される検査に含まれる対象としては、撮影により得られた放射線画像、検査情報の他に、関連情報であるキーオブジェクトなどの付帯情報も含まれる。また、医用情報処理装置１０は、ＰＡＣＳ６０等への再出力の際には、再出力可否（特に、キーオブジェクトの再出力可否）を判定し、必要に応じて再出力の制限を行う。そして、過去検査再生画面８００で必要な全ての操作が終了すると、操作者は、再生終了ボタン８１０を押下する。これにより、過去検査の再生が終了し、放射線撮影制御装置１１は、再度、図７に示す過去検査選択画面７００を表示部１１５に表示する。
【００６４】
図９は、本発明の第１の実施形態に係る医用情報処理装置１０による医用情報処理方法の処理手順の一例を示すフローチャートである。具体的に、図９は、医用情報処理装置１０において、記憶装置であるＰＡＣＳ６０等に対するキーオブジェクトの再出力処理の処理手順の一例を示すフローチャートである。
【００６５】
図９のフローチャートの処理を行う前に、まず、撮影制御部１１２は、再出力を行う検査に係る各種の情報を、記憶装置であるＰＡＣＳ６０等から取得する処理を行う。即ち、ここでは、撮影制御部１１２は、被検体Ｈを撮影して得られた医用画像である放射線画像と当該放射線画像に関する関連情報であるキーオブジェクトとが対応付けられて記憶されているＰＡＣＳ６０等から、再出力を行う対象である放射線画像及びキーオブジェクトを含む検査に係る情報を予め取得する。この処理を行う撮影制御部１１２は、取得手段を構成する。
【００６６】
そして、図９のフローチャートの処理が開始されると、まず、ステップＳ１０１において、例えば撮影制御部１１２は、再出力を行う対象の検査内に未チェックの放射線画像があるか否かを判断する。
【００６７】
ステップＳ１０１の判断の結果、再出力を行う対象の検査内に未チェックの放射線画像がある場合には（Ｓ１０１／Ｙｅｓ）、ステップＳ１０２に進む。
ステップＳ１０２に進むと、例えば撮影制御部１１２は、当該未チェックの放射線画像を出力対象に追加する。
【００６８】
続いて、ステップＳ１０３において、例えば撮影制御部１１２は、ステップＳ１０２で出力対象に追加した放射線画像にキーオブジェクトが付与されているか否かを判断する。
【００６９】
ステップＳ１０３の判断の結果、出力対象に追加した放射線画像にキーオブジェクトが付与されている場合には（Ｓ１０３／Ｙｅｓ）、ステップＳ１０４に進む。
ステップＳ１０４に進むと、例えば撮影制御部１１２は、出力対象に追加した放射線画像に付与されているキーオブジェクトについて、その作成時に編集が許可されているかを判断する。具体的に、例えば、出力対象に追加した放射線画像に付与されているキーオブジェクトが図６（ａ）に示すキーオブジェクト６００−１である場合には、編集可否情報６３０を参照して、ステップＳ１０４の判断を行う。図６（ａ）に示すキーオブジェクト６００−１の場合には、編集可否情報６３０として許可が設定されているため、ステップＳ１０４では肯定判断（Ｙｅｓ）がされることになる。
【００７０】
ステップＳ１０４の判断の結果、出力対象に追加した放射線画像に付与されているキーオブジェクトについてその作成時に編集が許可されている場合には（Ｓ１０４／Ｙｅｓ）、ステップＳ１０５に進む。
ステップＳ１０５に進むと、例えば撮影制御部１１２は、当該キーオブジェクトを出力対象に追加する。
【００７１】
ステップＳ１０５の処理が終了した場合、ステップＳ１０３で否定判断された場合（Ｓ１０３／Ｎｏ）、或いは、ステップＳ１０４で否定判断された場合には（Ｓ１０４／Ｎｏ）、ステップＳ１０６に進む。即ち、ステップＳ１０４でキーオブジェクトの編集が不許可とされている場合には、当該キーオブジェクトを出力対象としない。
ステップＳ１０６に進むと、例えば撮影制御部１１２は、処理を次の放射線画像に設定する。この後、ステップＳ１０１に戻る。図９のフローチャートで示す再出力処理では、再出力を行う対象の検査内に含まれる全ての放射線画像に対して、ステップＳ１０１〜ステップＳ１０６の処理を行う。
【００７２】
そして、ステップＳ１０１の判断の結果、再出力を行う対象の検査内に未チェックの放射線画像がない場合には（Ｓ１０１／Ｎｏ）、再出力を行う対象の検査内に含まれる全ての放射線画像に対して処理を行ったと判定し、ステップＳ１０７に進む。
ステップＳ１０７に進むと、撮影制御部１１２は、出力対象に追加した検査に係る情報（放射線画像やキーオブジェクト等）をＰＡＣＳ６０等に再出力する。これにより、ＰＡＣＳ６０等に保存されている編集不許可のキーオブジェクトが医用情報処理装置１０から不用意に更新されることを防ぐことができる。そして、ステップＳ１０７の処理が終了すると、図９のフローチャートの処理が終了する。
【００７３】
なお、図９のフローチャートでは、撮影制御部１１２は、キーオブジェクトの作成時にキーオブジェクトに設定された設定情報である編集可否情報６３０に応じて、ＰＡＣＳ６０等の記憶装置に対する当該キーオブジェクトの出力を制限する制御を行う態様である。この態様の制御を行う撮影制御部１１２は、出力制御手段を構成する。この点、本実施形態においては、この態様に限定されるものではなく、以下の態様も適用可能である。
【００７４】
例えば、撮影制御部１１２が、キーオブジェクトに設定された設定情報として設定された当該キーオブジェクトの作成者と、当該キーオブジェクトの編集者とが異なる場合に、ＰＡＣＳ６０等の記憶装置に対する当該キーオブジェクトの出力を禁止する出力制御を行う態様を採りうる。この態様の場合、キーオブジェクトとして、例えば図６（ｂ）に示すキーオブジェクト６００−２を用いる。このキーオブジェクト６００−２は、設定情報として、図６（ａ）に示すキーオブジェクト６００−１に設定された設定情報に加えて、キーオブジェクト６００−２を作成した作成者を特定するための作成者情報６５０を更に含むものである。そして、撮影制御部１１２は、例えば操作者が操作部１１１を介してキーオブジェクト６００−２の変更を伴う編集を行った場合、作成者情報６５０と、当該編集を行った操作者のログイン情報等から特定される編集者情報とから、上述した出力制御を行う。本実施形態において、操作者が操作部１１１を介して入力した情報に基づきキーオブジェクト６００の変更を伴う編集を行う撮影制御部１１２は、編集手段を構成する。
【００７５】
また、例えば、撮影制御部１１２が、キーオブジェクトに設定された設定情報として設定された当該キーオブジェクトの作成者と、操作部１１１を介して上述した再出力を指示する操作者とが異なる場合に、ＰＡＣＳ６０等の記憶装置に対する当該キーオブジェクトの出力を禁止する出力制御を行う態様を採りうる。この態様の場合も、キーオブジェクトとして、例えば図６（ｂ）に示すキーオブジェクト６００−２を用いる。そして、撮影制御部１１２は、例えば操作者が操作部１１１を介して上述した再出力を指示した場合、作成者情報６５０と、当該操作者のログイン情報等から特定される操作者情報とから、上述した出力制御を行う態様を採る。
【００７６】
また、例えば、撮影制御部１１２が、キーオブジェクトに設定された設定情報として設定された当該キーオブジェクトを作成した医用情報処理装置と、当該キーオブジェクトを編集した医用情報処理装置とが異なる場合に、ＰＡＣＳ６０等の記憶装置に対する当該キーオブジェクトの出力を禁止する出力制御を行う態様を採りうる。この態様の場合、キーオブジェクトとして、例えば図６（ｃ）に示すキーオブジェクト６００−３を用いる。このキーオブジェクト６００−３は、設定情報として、図６（ａ）に示すキーオブジェクト６００−１に設定された設定情報に加えて、キーオブジェクト６００−３を作成した医用情報処理装置を特定するための作成装置情報６６０を更に含むものである。そして、撮影制御部１１２は、例えば操作者が操作部１１１を介してキーオブジェクト６００−３の変更を伴う編集を行った場合、当該編集を行った医用情報処理装置１０と作成装置情報６６０で特定される医用情報処理装置とから、上述した出力制御を行う。
【００７７】
また、例えば、撮影制御部１１２が、キーオブジェクトに設定された設定情報として設定された当該キーオブジェクトの用途を示す分類が特定の分類でない場合に、ＰＡＣＳ６０等の記憶装置に対する当該キーオブジェクトの出力を禁止する出力制御を行う態様を採りうる。この態様の場合、キーオブジェクトとして、例えば図６（ａ）に示すキーオブジェクト６００−１を用いる。そして、撮影制御部１１２は、分類情報６１０で示される分類が、予め定められた特定の分類（例えば、図５に示すキーオブジェクト作成画面５００で設定され得る患者説明用や経過観察用の分類等）でない場合に、上述した出力制御を行う。
【００７８】
また、上述した態様は、キーオブジェクトに設定された設定情報に応じて出力制御を行うものであるが、この態様に限らず、例えば、以下の態様も適用可能である。
例えば、撮影制御部１１２は、キーオブジェクトの変更（編集）がなされた場合に、ＰＡＣＳ６０等の記憶装置に対する当該キーオブジェクトの出力を禁止する出力制御を行う態様を採りうる。また、例えば、撮影制御部１１２は、医用情報処理装置１０がＰＡＣＳ６０等の記憶装置によって認証（例えばノード認証）されていない場合に、ＰＡＣＳ６０等の記憶装置に対する当該キーオブジェクトの出力を禁止する出力制御を行う態様を採りうる。
【００７９】
以上説明したように、第１の実施形態に係る医用情報処理装置１０では、撮影制御部１１２は、キーオブジェクトに設定された設定情報に応じて、ＰＡＣＳ６０等の記憶装置（記憶手段）に対するキーオブジェクト（例えば、編集されたキーオブジェクト）の出力を制限するようにしている。また、撮影制御部１１２は、キーオブジェクトの変更の有無、または、ＰＡＣＳ６０等の記憶装置による認証の有無に応じて、記憶装置に対するキーオブジェクトの出力を制限するようにしている。
かかる構成によれば、医用画像に関する関連情報であるキーオブジェクトの不用意な更新を防ぐことができ、その結果、当該キーオブジェクトの適切な運用を行うことが可能となる。具体的に、例えば、ＰＡＣＳ６０等の記憶装置に保存されているキーオブジェクトが編集不許可とされている場合に、不用意な当該キーオブジェクトの更新を防ぐことができる。また、例えば、キーオブジェクトの目的に沿わない用途としての利用や、医用画像に対する注意喚起などの恒久的な情報の欠落を防ぐこともできる。
【００８０】
なお、上述した第１の実施形態の説明では、医用情報処理装置１０は、ＰＡＣＳ６０に対応付けられて記憶されている医用画像（放射線画像）及び関連情報（キーオブジェクト）を取得する形態を例示したが、本発明においてはこの形態に限定されるものではない。例えば、医用情報処理装置１０は、自装置の記憶部に対応付けられて記憶されている医用画像（放射線画像）及び関連情報（キーオブジェクト）を取得する形態も、本発明に適用可能である。そして、この形態の場合、ＰＡＣＳ６０及び医用情報処理装置１０の記憶部は、記憶手段を構成する。具体的に、この形態の場合、医用情報処理装置１０は、自装置の記憶部から取得したキーオブジェクトに設定された設定情報、当該キーオブジェクトの変更の有無、またはＰＡＣＳ６０等の記憶装置による認証の有無に応じて、編集したキーオブジェクトをＰＡＣＳ６０等の記憶装置に出力することを制限する出力制御を行う形態を採りうる。
【００８１】
（第２の実施形態）
次に、本発明の第２の実施形態について説明する。なお、以下に記載する第２の実施形態の説明では、上述した第１の実施形態と共通する事項については説明を省略し、上述した第１の実施形態と異なる事項について説明を行う。
【００８２】
第２の実施形態に係る医用情報処理装置を含む医用情報処理システムの概略構成は、図１に示す第１の実施形態に係る医用情報処理装置１０を含む医用情報処理システム１の概略構成と同様である。
【００８３】
上述した第１の実施形態は、医用情報処理装置１０からＰＡＣＳ６０等の記憶装置に再出力するキーオブジェクトを制限する出力制御を行う形態であった。これに対して、第２の実施形態は、医用情報処理装置１０において作成済みのキーオブジェクトの変更を伴う編集を制限する編集制御を行う形態である。
【００８４】
＜作成済みのキーオブジェクトの編集処理＞
図１０は、本発明の第２の実施形態に係る医用情報処理装置１０による医用情報処理方法の処理手順の一例を示すフローチャートである。具体的に、図１０は、医用情報処理装置１０において、作成済みのキーオブジェクトの編集処理の処理手順の一例を示すフローチャートである。
【００８５】
図１０のフローチャートの処理を行う前に、まず、撮影制御部１１２は、編集を行う検査に係る各種の情報を、記憶装置であるＰＡＣＳ６０等から取得する処理を行う。即ち、ここでは、撮影制御部１１２は、被検体Ｈを撮影して得られた医用画像である放射線画像と当該放射線画像に関する関連情報であるキーオブジェクトとが対応付けられて記憶されているＰＡＣＳ６０等から、編集を行う対象である放射線画像及びキーオブジェクトを含む検査に係る情報を予め取得する。この処理を行う撮影制御部１１２は、取得手段を構成する。
【００８６】
そして、操作者が操作部１１１を介して図８に示す過去検査再生画面８００で編集または参照したいキーオブジェクトを含む撮影方法ボタン（例えば胸部正面ボタン２５１や胸部側面ボタン２５２等）を押下し、画像表示領域４１０に対象の放射線画像を再生する。その後、図１０のフローチャートの処理が開始され、まず、ステップＳ２０１において、例えば撮影制御部１１２は、画像表示領域４１０に再生中の放射線画像に含まれるキーオブジェクトをキーオブジェクト枠４１３の指定により選択する。
【００８７】
その後、例えば操作者が操作部１１１を介してキーオブジェクトボタン４２５を押下すると、続いて、ステップＳ２０２において、例えば撮影制御部１１２は、このキーオブジェクトボタン４２５の押下を検知する。
【００８８】
続いて、ステップＳ２０３において、例えば撮影制御部１１２は、表示制御部１１４の制御によって、選択されたキーオブジェクトに係るキーオブジェクト作成画面５００を表示部１１５に表示する。この際、キーオブジェクト作成画面５００は、図５に示す編集可否設定部５３０が操作不可（或いは、例えば編集不可の設定がされている場合には編集可否設定部５３０が非表示）の状態で表示部１１５に表示される。
【００８９】
続いて、ステップＳ２０４において、例えば撮影制御部１１２は、選択されたキーオブジェクトが、作成時に編集可否設定部５３０で編集不許可に設定されていたか否かを判断する。なお、このステップＳ２０４において、選択されたキーオブジェクトが、例えば図６（ａ）に示すキーオブジェクト６００−１に相当する場合、編集可否情報６３０を参照することによって、当該ステップＳ２０４の判断を行う形態であってもよい。
【００９０】
ステップＳ２０４の判断の結果、選択されたキーオブジェクトが編集不許可でない場合には（Ｓ２０４／Ｎｏ）、当該キーオブジェクトの編集を許可するべく、ステップＳ２０５に進む。
ステップＳ２０５に進むと、例えば撮影制御部１１２は、表示制御部１１４の制御によって、当該キーオブジェクトの編集を許可するため、ＯＫボタン５４０を表示する。
【００９１】
一方、ステップＳ２０４の判断の結果、選択されたキーオブジェクトが編集不許可である場合には（Ｓ２０４／Ｙｅｓ）、当該キーオブジェクトの編集を不許可するべく、ステップＳ２０６に進む。
ステップＳ２０６に進むと、例えば撮影制御部１１２は、表示制御部１１４の制御によって、当該キーオブジェクトの編集を不許可するため、ＯＫボタン５４０を非表示にする。
【００９２】
また、編集可否設定部５３０は、設定によらず非表示になる。そして、ステップＳ２０５またはステップＳ２０６の処理が終了すると、図１０のフローチャートの処理が終了する。この図１０に示すフローチャートの処理により、過去検査再生画面８００から表示されたキーオブジェクト作成画面５００では、編集不許可のキーオブジェクトに対してＯＫボタン５４０の押下による確定処理ができなくなるため、編集が反映されなくなる（即ち、編集が行えない）。
【００９３】
なお、上述した例では、キーオブジェクトの編集を制限する方法として、ＯＫボタン５４０の表示制御を行う態様を示したが、本実施形態においては、これに限定されるものではない。例えば、分類設定部５１０及び注釈指定部５２０が操作不可の状態で表示されてもよい。
【００９４】
なお、図１０のフローチャートでは、撮影制御部１１２は、キーオブジェクトに設定された設定情報に応じて編集を制限する例として、キーオブジェクトとして編集不許可の設定がされている場合に、キーオブジェクトの編集を禁止する制御を行う態様である。この態様の制御を行う撮影制御部１１２は、編集制御手段を構成する。この点、本実施形態においては、この態様に限定されるものではなく、以下の態様も適用可能である。
【００９５】
例えば、撮影制御部１１２が、キーオブジェクトに設定された設定情報として設定された当該キーオブジェクトの作成者と、当該キーオブジェクトの編集者とが異なる場合に、当該キーオブジェクトの編集を禁止する編集制御を行う態様を採りうる。この態様の場合、キーオブジェクトとして、例えば図６（ｂ）に示すキーオブジェクト６００−２を用いる。そして、撮影制御部１１２は、例えば操作者が操作部１１１を介してキーオブジェクト６００−２の変更を伴う編集を行う場合、作成者情報６５０と、当該編集を行う操作者のログイン情報等から特定される編集者情報とから、上述した編集制御を行う。本実施形態において、操作者が操作部１１１を介して入力した情報に基づきキーオブジェクト６００の変更を伴う編集を行う撮影制御部１１２は、編集手段を構成する。
【００９６】
また、例えば、撮影制御部１１２が、キーオブジェクトに設定された設定情報として設定された当該キーオブジェクトの作成者と、操作部１１１を介して第１の実施形態において説明した再出力を指示する操作者とが異なる場合に、当該キーオブジェクトの編集を禁止する編集制御を行う態様を採りうる。この態様の場合も、キーオブジェクトとして、例えば図６（ｂ）に示すキーオブジェクト６００−２を用いる。そして、撮影制御部１１２は、例えば操作者が操作部１１１を介して上述した再出力を指示した場合、作成者情報６５０と、当該操作者のログイン情報等から特定される操作者情報とから、上述した編集制御を行う態様を採る。
【００９７】
また、例えば、撮影制御部１１２が、キーオブジェクトに設定された設定情報として設定された当該キーオブジェクトを作成した医用情報処理装置と、当該キーオブジェクトを編集した医用情報処理装置とが異なる場合に、当該キーオブジェクトの編集を禁止する編集制御を行う態様を採りうる。この態様の場合、キーオブジェクトとして、例えば図６（ｃ）に示すキーオブジェクト６００−３を用いる。そして、撮影制御部１１２は、例えば操作者が操作部１１１を介してキーオブジェクト６００−３の変更を伴う編集を行う場合、当該編集を行う医用情報処理装置１０と作成装置情報６６０で特定される医用情報処理装置とから、上述した編集制御を行う。
【００９８】
また、例えば、撮影制御部１１２が、キーオブジェクトに設定された設定情報として設定された当該キーオブジェクトの用途を示す分類が特定の分類でない場合に、当該キーオブジェクトの編集を禁止する編集制御を行う態様を採りうる。この態様の場合、キーオブジェクトとして、例えば図６（ａ）に示すキーオブジェクト６００−１を用いる。そして、撮影制御部１１２は、分類情報６１０で示される分類が、予め定められた特定の分類（例えば、図５に示すキーオブジェクト作成画面５００で設定され得る患者説明用や経過観察用の分類等）でない場合に、上述した編集制御を行う。
【００９９】
以上説明したように、第２の実施形態に係る医用情報処理装置１０では、撮影制御部１１２は、キーオブジェクトに設定された設定情報に応じて、当該キーオブジェクトの変更を伴う編集を制限するようにしている。
かかる構成によれば、医用画像に関する関連情報であるキーオブジェクトの不用意な更新を防ぐことができ、その結果、当該キーオブジェクトの適切な運用を行うことが可能となる。具体的に、例えば、ＰＡＣＳ６０等の記憶装置に保存されているキーオブジェクトが編集不許可とされている場合に、不用意な当該キーオブジェクトの更新を防ぐことができる。
【０１００】
なお、上述した第２の実施形態の説明では、医用情報処理装置１０は、ＰＡＣＳ６０に対応付けられて記憶されている医用画像（放射線画像）及び関連情報（キーオブジェクト）を取得する形態を例示したが、本発明においてはこの形態に限定されるものではない。例えば、医用情報処理装置１０は、自装置の記憶部に対応付けられて記憶されている医用画像（放射線画像）及び関連情報（キーオブジェクト）を取得する形態も、本発明に適用可能である。そして、この形態の場合、医用情報処理装置１０の記憶部（更に、ＰＡＣＳ６０を含めてもよい）は、記憶手段を構成する。具体的に、この形態の場合、医用情報処理装置１０は、自装置の記憶部から取得したキーオブジェクトに設定された設定情報に応じて、当該キーオブジェクトの変更を伴う編集を制限する編集制御を行う形態を採りうる。
【０１０１】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
このプログラム及び当該プログラムを記憶したコンピュータ読み取り可能な記憶媒体は、本発明に含まれる。
【０１０２】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０１０３】
１：医用情報処理システム、１０：医用情報処理装置、１１：放射線撮影制御装置、１２：ケーブル、１３：放射線発生装置、１４：ケーブル、１５：放射線検出装置、１６：撮影台、２０：他の医用情報処理装置、３０：ネットワーク、４０：ＨＩＳ、５０：ＲＩＳ、６０：ＰＡＣＳ、７０：プリンタ、１１１：操作部、１１２：撮影制御部、１１３：放射線発生制御部、１１４：表示制御部、１１５：表示部、Ｈ：被検体
【図１】
2020087187.tif 000003
【図２】
2020087187.tif 000004
【図３】
2020087187.tif 000005
【図４】
2020087187.tif 000006
【図５】
2020087187.tif 000007
【図６】
2020087187.tif 000008
【図７】
2020087187.tif 000009
【図８】
2020087187.tif 000010
【図９】
2020087187.tif 000011
【図１０】
2020087187.tif 000012